(57)【特許請求の範囲】
【請求項１】
音声を符号化してデジタル変調により無線伝送する移動通信機であって、
フレーム単位に音声データを符号化する音声符号化手段と、
音声送信の終了を検知する終了検知手段と、
前記フレームを複数フレームからなるスーパーフレームに構成し、前記終了検知手段が音声送信の終了を検知すると、検知後の少なくとも１スーパーフレーム期間中は符号化された音声信号と同時にその各フレームの所定ビットを「音声送信終了状態」にする、伝送フレーム生成手段と、
を有することを特徴とする移動通信機。
【請求項２】
前記所定ビットは、「音声送信終了状態」を示す所定パターンを含んだ複数ビットで構成され、所定の音声終了パターンとの比較による複数ビットの一致検出によって「音声送信終了状態」と判定される、請求項１記載の移動通信機。
【請求項３】
前記所定パターンは、前記音声符号化手段により符号化される所定のトーンパターンである、請求項２の移動通信機。
【請求項４】
請求項１記載の移動通信機から送信された電波を受信する移動通信機であって、
前記所定ビットが「音声送信終了状態」であることを１回以上検出した場合に「音声通信終了」検出として、音声通信の終了を認識することを特徴とする移動通信機。
【請求項５】
請求項２又は３記載の移動通信機から送信された電波を受信する移動通信機であって、
受信した前記所定パターンと所定の受信基準パターンとを比較して一定ビット数以上が合致した時に「音声通信終了」検出として音声通信の終了を認識することを特徴とする移動通信機。
【請求項６】
さらに、受信中の電波が受信できなくなった場合にも音声通信の終了を認識する、請求項４又は５記載の移動通信機。
【請求項７】
さらに、音声通信の終了を認識した場合に、受信同期状態を強制的に解除する、請求項４〜６のいずれか一つに記載の移動通信機。
【請求項８】
さらに、音声通信の終了を認識した場合に、操作者に音声通信の終了を通知する表示手段及び／又は終了音生成手段を有する、請求項４〜７のいずれか一つに記載の移動通信機。
【請求項９】
さらに、操作者に音声通信の終了を通知する表示手段及び／又は終了音生成手段を有し、
前記終了音生成手段は、「音声通信終了」検出をもって前記音声通信の終了を認識した場合にのみ、操作者に終了音を通知する、請求項４又は５に記載の移動通信機。
【請求項１０】
さらに、前記終了音生成手段は、前記音声通信の終了を「音声通信終了」検出以外で音声通信の終了を認識すると、前回の終了から一定時間経過したものについて操作者に終了音を通知する、請求項９記載の移動通信機。
【発明の詳細な説明】
【０００１】
【発明の属する技術分野】
本発明は移動通信機に関し、特にデジタル変調波で音声を送受信する移動通信機の音声信号終了の認識度を向上させた移動通信機に関するものである。
【０００２】
【従来の技術】
図１は、移動体通信システムにおけるデジタル変調方式を用いた信号形式の一例を示したものである。
図１の（ａ）はフレーム化された信号形式の一例を示しており、このように通常は時間をフレーム単位に分割して音声を符号化したデータや非音声のデータが伝送される。図１の（ｂ）は各フレーム内（本例では＃Ｎ＋１）における信号フォーマットの一例をそれぞれ示している。
【０００３】
図１の（ｂ）では、デジタル変調方式に必要な同期信号、誤り訂正用ビット、及び立上り／立下りのランプタイムやガードタイムは、本発明との直接的な関連性が無いため省略してある。なお、ここには１フレーム長が２０ｍｓであって総伝送量９６００ＢＰＳから前記の必要ビット数を除いた伝送量を想定し、１フレームの誤り検出符号を含めた伝送量が６６ｂｉｔの一例を示している。以降では、１フレームを全て６６ｂｉｔとして説明する。
【０００４】
Ｄ／Ｖビットは音声（Ｄ／Ｖ＝１）又は非音声（Ｄ／Ｖ＝０）のいずれか一方を示すデータ属性ビットである。このように、伝送されるデータが音声であるか非音声であるかの属性はそのフレーム内の所定位置に置かれた制御データ（Ｄ／Ｖビット）によって決められる。４８ビットの音声／非音声データフィールドには、音声符号化方式として現在一般的に用いられている最も圧縮率の高いＡＭＢＥ  （Ａｄｖａｎｃｅｄ  Ｍｕｌｔｉ−Ｂａｎｄｓ  Ｅｘｃｉｔａｔｉｏｎ）  方式を想定している。
【０００５】
ＡＭＢＥでは音声信号が２０ｍｓ毎の音声フレーム単位で処理され、その結果として４８ｂｉｔの音声データ  が生成される。このように、一般にデジタル変復調を用いた移動通信機では音声信号のみならず、非音声のデータも伝送されるが、本発明では音声伝送についてのものであるので、以降において必要部分以外では非音声データについての説明は省略する。
【０００６】
次の１ビットからなるＥｎｄビットは移動通信機の送話スイッチ操作に応じて変化し、以降の説明において送話スイッチがオンの時にＥｎｄ＝０となり、オフの時にＥｎｄ＝１となる。これにより、受信側ではＥｎｄビットが“０”から“１”に変化した時点の受信フレームを最終フレームと判断する。また、フレーム末尾の１６ビット誤り検出フィールドにはＣＲＣ  （Ｃｙｃｌｉｃ  Ｒｅｄｕｎｄａｎｃｙ  Ｃｈｅｃｋ）  等の所定の誤り検出符号生成規定によって生成された誤り検出符号が挿入される。
【０００７】
図２は、移動通信機の一構成例を示したものである。
図２において、送話時には送話スイッチ６がオンされ、マイク１を通じて入力された音声信号が音声符号化器３でＡＭＢＥ符号化され、その符号化データはデジタル変復調器７でデジタル変調され、さらに送受信部８で増幅されてアンテナ９から送出される。この際、制御部５は送信フレームにＤ／Ｖ＝１（音声）及びＥｎｄ＝０（非最終フレーム）を設定し、また所定の誤り検出符号生成規定によって受信側で誤りを検出するための誤り検出符号を挿入する。その送話終了時には制御部５が送話スイッチ６のオフを検出し、それによってＥｎｄ＝１に設定した最終フレームが送出された後、送信を停止する。
【０００８】
一方、受信側の移動通信機では送話スイッチ６がオフの状態であり、受信フレーム内の誤り検出符号によって受信フレーム誤りを検出し、その結果受信誤りが無く且つＤ／Ｖ＝１（音声）ならは受信した４８ビットの音声データ部分を音声復号器４へ出力する。音声復号器４でＡＭＢＥ復号された信号は電力増幅されてスピーカ２から出力される。制御部５は、最終フレーム（Ｅｎｄ＝１）の受信によりその受話状態の継続が終了したことを認識する。
【０００９】
【発明が解決しようとする課題】
ところで、受信電界が弱くなって信号に誤りが含まれるようになるとその誤りが受信側で検出される。その結果、廃棄されるフレームのＥｎｄビットが“１”のときには、受信側で音声の終了が認識されなくなる。この場合、例えば受信音声の終了を検出して自動応答するようなシステムにおいては最終フレームが認識できずに伝送効率が著しく低下することになる。このように、通常受信電界強度がフェージング等で大きく変動し、伝送環境の非常に悪い移動通信システムでは音声の終了を認識できずに伝送効率が悪くなるという問題があった。
【００１０】
また、従来のアナログＦＭ信号を用いた移動体通信機では受信の末尾にスケルチの「ザッ」音が発生するため、操作者が自身の耳によって容易に音声伝送の終了を確認することができた。一方、デジタル変調を用いた移動体通信では、受信電界強度が強く且つ安定して信号誤りのない場合には従来のＦＭ信号に起因した「ザッ」音が発生せず、操作者は音声伝送の終了を認識しにくいために、その結果として応答が遅くなりシステム運用効率が落ちるという、デジタル変調を用いた移動体通信独特の問題もあった。
【００１１】
そこで本発明の目的は、上記問題点に鑑み、受信条件が悪化した場合でも音声終了の認識度を向上させた移動通信機を提供することにある。これにより、移動通信機を使ったシステム全体の伝送効率をも向上させることを目的とする。
また、本発明の目的は、デジタル変調を用いた移動体通信においても操作者の音声送信終了の認識度を向上させることで使用の容易性を向上させることにある。その結果として通信システムの運用効率を向上させることを目的とする。
【００１２】
【課題を解決するための手段】
本発明によれば、音声を符号化してデジタル変調により無線伝送する移動通信機であって、フレーム単位に音声データを符号化する音声符号化手段と、音声送信の終了を検知する終了検知手段と、前記フレームを複数フレームからなるスーパーフレームに構成し、前記終了検知手段が音声送信の終了を検知すると、検知後の少なくとも１スーパーフレーム期間中は符号化された音声信号と同時にその各フレームの所定ビットを「音声送信終了状態」にする、伝送フレーム生成手段と、を有する移動通信機が提供される。
【００１３】
前記所定ビットは、「音声送信終了状態」を示す所定パターンを含んだ複数ビットや前記音声符号化手段により符号化される所定のトーンパターンから成り、移動通信機は、前記所定ビットが「音声送信終了状態」であることを１回以上検出した場合に音声通信の終了を認識し、また受信した前記所定パターンと所定の受信基準パターンとを比較して一定ビット数以上が合致した時に音声通信の終了を認識する。さらに、受信中の電波が受信できなくなった場合にも音声通信の終了を認識する。また、音声通信の終了を認識した場合に、受信同期状態を強制的に解除する。
【００１４】
さらに、移動通信機は、音声通信の終了を認識した場合に、操作者に音声通信の終了を通知する表示手段及び／又は終了音生成手段を有し、前記終了音生成手段は、前記音声通信の終了を認識した場合にのみ、操作者に終了音を通知するか、前記音声通信の終了を認識した場合以外で音声通信の終了を認識すると前回の終了から一定時間経過したものについて操作者に終了音を通知する。
【００１５】
【発明の実施の形態】
図３は、本発明による信号形式であるスーパーフレームの一構成例を示したものである。
音声信号の伝送において、従来は音声信号をフレーム単位で伝送していたが（図１の（ａ）参照）、本例では各フレームをさらに複数個のフレーム群にまとめたスーパーフレーム単位で伝送する。ここでは４個のフレームから成るスーパーフレームを音声信号の伝送単位として規定した例を示しており、本発明により音声終了の検出時にそのスーパーフレーム内の全てのフレームにＥｎｄ＝１が設定される。
【００１６】
図４は、本発明の移動通信機における第１の制御フローの一例を示したものである。
本例はフレーム送受信制御を行うものであり、個々のフレーム毎に開始され終了する。すなわち、図３のスーパーフレームの例でいえば、各フレーム０〜３毎に移動通信機内部でＣＰＵ割り込み等が発生し、各々のフレーム０〜３に対して図４の処理が実行される。ここではフレーム番号ｉを０〜３とし、また移動通信機の送信状態を示すフラグＴｘをＴｘ＝１で送信状態又はＴｘ＝０でそれ以外の状態とする。なお、（Ａ）ｍｏｄ４  はカッコ内のＡに対してモジュロ４の演算を行うことを示す。
【００１７】
最初にフレーム０〜３の何れかのフレーム送信又は受信によって本制御フローが開始され、先ずステップＳ１０１でそれがスーパーフレームの最初のフレーム０（ｉ＝０）か否かが判断される。最初のフレーム０以外の場合は、次に送信状態フラグＴｘを判断し、Ｔｘ＝０の場合は受信処理を実行して終了する（Ｓ１１４〜１１６）。
【００１８】
送信状態Ｔｘ＝１の場合は（Ｓ１１４）、音声符号器３からのデータに音声データであるＤ／Ｖ＝１且つＥｎｄ＝０を設定し、さらに誤り検出演算値を設定して１フレーム分の送信を行う（Ｓ１０８〜１１１）。なお、前記Ｅｎｄビットの値は後述するステップＳ１０４又は１０６で設定された値がステップＳ１０９で設定される。また、前記受信処理を実行する受信サブルーチン（Ｓ１１５）についても後述する（図６参照）。
【００１９】
次に、後述する受信処理との関係でステップＳ１１２及び１１３の判定処理を行うが、これらは送信側の処理とは関係なく、実質的にはステップＳ１１１でフレーム０以外の送信処理は終了する。なお、送信データが音声以外の場合にはＤ／Ｖ＝０且つＥｎｄ＝０が設定される（Ｓ１０８及び１０９）。
【００２０】
ステップＳ１０１に戻って、スーパーフレームの最初のフレーム０の場合にはさらに送話スイッチ６のオン／オフが判断され（Ｓ１０２）、それがオンの場合には送信が開始されたか又は送信中であるからＥｎｄ＝０且つＴｘ＝１が設定される。以降は、前述した送信状態Ｔｘ＝１の場合（Ｓ１１４）と同様に、音声又はデータの違いに従って１フレーム分の送信が行われる（Ｓ１０８〜１１１）。
【００２１】
一方、送話スイッチ６がオフの場合にはさらに送信状態フラグＴｘが判断され（Ｓ１０２及び１０３）、Ｔｘ＝０の場合はここでのフレーム０を受信継続中に繰り替えし受信されるフレームの１つとしてステップＳ１１５と同じ受信処理が実行される（Ｓ１０５）。反対に、Ｔｘ＝１の場合は送信の終了を示すＥｎｄ＝１が設定される（Ｓ１０３及び１０４）。その結果、送話スイッチのオフ後の最初に送信されるフレーム０からＥｎｄ＝１が設定されることになる。以降は、これまでと同様にステップＳ１０８〜１１１によりフレーム０（Ｅｎｄ＝１）の送信が行われる。
【００２２】
この時点では依然として送信状態Ｔｘ＝１であり、ステップＳ１１６のインクリメント処理、及びステップＳ１０１、１１４、１０８〜１１１の各処理が繰り返し実行され、それはスーパーフレームの最後のフレーム３（ｉ＝３）の送信完了まで強制的に実行される。そして、最終フレーム３の送信完了によってＴｘ＝０が設定され（Ｓ１１２及び１１３）、音声データの送信が終了する。
【００２３】
その結果、本発明によるスーパーフレームを使用すれば、受信側では音声終了を示すＥｎｄ＝１を含むフレームを本例では必ず４回連続して受信することが保証される。従って、受信条件が悪化した場合でも音声の終了の認識度を向上させることが可能となる。また、本発明は音声の送信終了時にのみ受信側でのＥｎｄ＝１を含むフレームの連続受信を保証するため、これにより音声送信データの冗長性は幾分増加するが、受信側での音声終了の検出率が顕著に向上し、システム全体として伝送効率の向上が達成される。
【００２４】
図５は、本発明の第２の制御フロー例を示したものである。
本例では、第１の制御フロー例よりもさらに音声終了の認識率を向上させるために、音声送信終了を通知するフレームの音声データを、予め規定する一定パターンにする。本例もフレーム毎の割り込みによって処理される。先ず送話スイッチ６のオン／オフを検出する（Ｓ２０１）。送話スイッチ６がオンの時に処理されるステップＳ２０７〜２１２は図４のステップＳ１０６〜１１１と同様でありここでは説明しない。送話スイッチ６がオフでＴｘ＝０のときは受信状態であるからそのまま受信処理が実行される（Ｓ２０６）。
【００２５】
一方、送話スイッチ６がオフでＴｘ＝１のときは送信が終了したことを示すため、Ｅｎｄ＝１且つＴｘ＝０が設定される（Ｓ２０３及び２０４）。本例ではさらに、４８ビットの音声／非音声データフィールドに、音声データに代えて所定の終了認識パターンが挿入される（Ｓ２０５）。なお、ここでは１フレームだけに音声終了を意味する所定のパターンを挿入しているが、第１の制御フロー例のようにスーパーフレーム全てに所定のパターンを配置しても良い。また、変形例としてＥｎｄビットをなくして所定のパターンだけにしてもよい。
【００２６】
前記所定のパターンとしては、例えば、オール“１”等の受信側で認識が容易な定パターンであってもよいし、音声復号器を介して操作者が特別音として認識できる、例えばシングルトーンのような音のパターンとしてもよい。後者の場合、受信側で誤りを検出してＥｎｄビットを認識できない場合でも、すなわち移動通信機として音声終了が認識できない場合でも、誤りを含んだまま音声復号器に音声データを入力すればシングルトーンのような音として復元されるため、操作者自身が音声終了を認識できる。
【００２７】
図６は、本発明の第３の制御フロー例を示したものである。
本例は、先に説明した図４の受信処理サブルーチン（Ｓ１０５及び１１５）で実行される。先ず受信データの誤り検出を行って誤りが検出された場合には何もせず、さらに誤りがなく且つ非音声データ（Ｄ／Ｖ＝０）の場合にも何もせずに受信処理を終了する（Ｓ３０１〜３０３）。一方、誤りがなく且つ音声データ（Ｄ／Ｖ＝１）の場合は、音声データを音声復号器４へ送って音声終了を検出した場合（Ｅｎｄ＝１）はそのまま受信処理を終了する（Ｓ３０２〜３０５）。ここでＥｎｄ＝１の場合には音声通信終了処理（Ｓ３０６）を実行する。
【００２８】
本例では、上述したように誤りを検出した音声／非音声データ又は非音声データを全て棄却して処理しない。なお、音声復号器４は通常音声復号データに欠けが生じた場合でもその間を補間する機能を備えているので、誤りが連続して検出されなければ相当の音声が復元される。最終段ではフレームのＥｎｄ＝１を検出する。ここでは、受信するスーパーフレーム中の各フレーム０〜３の内でＥｎｄ＝１のフレームを一度でも検出すると、後述する音声通信終了処理（図９参照）によってその後のフレームの音声データを音声復号器４へ送出しない。
【００２９】
なお、図４の送信側の例では送話スイッチをＯＦＦにした後も音声信号が１スーパーフレーム分送られるのでＥｎｄ＝１の検出自体に問題はない。これにより、音声終了の検出率の向上と共に効率的な音声復号処理も達成される。また、図５の音声終了トーンの不必要な継続が防止される。
【００３０】
図７は、本発明の第４の制御フロー例を示したものである。
本例は、先に説明した図５の受信処理サブルーチン（Ｓ２０６）で実行される。本例では、受信誤りを検出した場合でも音声データについては誤りを含んだまま音声複合器４へ送る。その処理のために移動通信機内部に新たに音声受信状態を示すフラグＶｒｘを設け、Ｖｒｘ＝１で音声受信中、Ｖｒｘ＝０で音声非受信と規定している。
【００３１】
先ず、受信データの誤り検出を行って誤りが無い場合、非音声データ（Ｄ／Ｖ＝０）については処理を終了し（Ｓ４０２及び４０３）、音声データ（Ｄ／Ｖ＝１）についてはさらにＥｎｄビットの判定を行って音声終了以外のフレーム（Ｅｎｄ＝０）は音声受信中を示すフラグＶｒｘ＝１を設定する（Ｓ４０３〜４０５）。その後、音声データを音声符号器４に送って再生する（Ｓ４０６）。音声終了フレーム（Ｅｎｄ＝１）の場合は後述の音声通信終了処理（Ｓ４１０；図９参照）が実行された後に音声非受信状態（Ｖｒｘ＝０）が設定される。
【００３２】
一方、受信データに誤りが検出された場合でも、それが音声受信中であれば（Ｖｒｘ＝１）その音声データを音声符号器４に送って再生する（Ｓ４０６）。その際に音声データと所定の音声終了パターンとの一致判定が行われ、所定ビット数以上、本例では４８ビット中の４０ビット以上、が一致すれば音声終了と判断して音声通信終了処理（Ｓ４１０）が実行される（Ｓ４０１、４０７〜４１０）。その後、音声非受信状態（Ｖｒｘ＝０）が設定されて受信処理が終了する。前記一致判定を満足しない場合には音声受信状態（Ｖｒｘ＝１）が継続される。
【００３３】
このように、本例では音声データについて誤りを検出した場合でも、それは原則再生され、さらに音声終了パターンは本例のように複数ビットの一致検出や他に多数決論理等を用いてより高い確率で検出できるため、操作者及び機器双方で終了検出能力を高くなる。例えば、前述したように音声終了パターンをシングルトーンのような音のパターンとした場合に、音声データが４０ビット未満しか音声送信終了パターンと一致しなかった場合でもシングルトーンを復元することで操作者が音声の終了を認識できる可能性が高くなる。
【００３４】
図８は、本発明の第５の制御フロー例を示したものである。
本例も先に説明した図５の受信処理サブルーチン（Ｓ２０６）で実行され、前述した第４の制御フロー例の変形例に相当する。本例は、スーパーフレームを受信した時の受信電界が非常に弱く本来的に音声終了を検出できない場合を想定し、このような場合には強制的に音声通信を終了させるように構成してある。そのため、新たに受信エラー回数を係数するエラーカウンタ（Ｅｒｒｎ）を移動通信機内部に設け、そのための処理ステップＳ５０６、５１０、及び５１１を追加している。それ以外は第４の制御フローと同様であり、従って以下ではそれらの相違点についてだけ説明する。
【００３５】
受信データの誤り検出を行って誤りが無く、音声データ（Ｄ／Ｖ＝１）且つ音声終了以外のフレーム（Ｅｎｄ＝０）の場合は音声受信中を示すフラグＶｒｘ＝１が設定される（Ｓ５０１〜５０５）。本例ではこのように正常に音声データが受信された時にエラーカウンタがクリア（Ｅｒｒｎ＝０）される（Ｓ５０６）。一方、受信データに誤りが検出されても音声受信中（Ｖｒｘ＝１）であれば、その音声データは音声符号器４に送られて再生される（Ｓ５０２、５０８、及び５０９）。本例ではこの場合にエラーカウンタが１だけインクリメントされる（Ｓ５１０）。
【００３６】
先の第４の制御フロー例では、この後に音声データと所定の音声終了パターンとの一致判定が行われるが、本例ではその前にエラーカウンタ値が所定閾値、本例では１０（回）に達したか否かが判定され、所定閾値以上となった時に音声通信終了処理（Ｓ５１３）が実行される。以降は、先の第４の制御フロー例と同じである。このように本例によれば、例えば車両がトンネル内に入って音声データの受信自体が不可能になる場合や、他にも同期はずれや誤り検出符号の不完全性による誤り検出ミスによる制御ビットの異常などの場合に、エラーフレームが所定回数連続して受信されると音声通信終了処理（Ｓ５１３）が実行されて音声通信が強制的に終了させる。なお、この処理については次の図９で説明する。
【００３７】
図９は、本発明の第６の制御フロー例を示したものである。
本例は先に説明した図６、７、及び８の音声通信終了処理サブルーチン（Ｓ３０６、４１０、及び５１３）で実行されるフロー例を示したものである。一般に、フレーム構造の連続した信号を受信する場合は、前回受信した同期シンボルのタイミングから次に受信するフレームの同期シンボルのタイミングが確認できず、又は第５の制御フロー例のようにフェージング等で同期点が継続して確認できないような場合に所定数のエラーフレームまでは前回の正常受信フレームから同期点を推測して復調処理を継続する同期保護が用いられる。
【００３８】
この場合、例えば２０フレームの間同期保護をかけているとすると、第１の局が送信した音声通信の受信が終了した直後に第２の局から送信された音声信号を受信しても、第１の局に同期保護がかかっている間は第２の局から送信する信号と同期がとれず、それを直ちに受信できないという問題が生じる。この時間は本例では最大４００ｍｓ（２０フレーム×２０ｍｓ）の期間になる。この問題を解決するために、音声通信終了処理サブルーチンでは強制的に同期保護を解除する（Ｓ６０１）。これによって、複数の異なる局から異なるタイミングで送信される音声信号に対しても迅速に同期が確立されて早期に受信可能となる。
【００３９】
図１０は、本発明による移動通信機の一構成例を示したものである。
これまでに説明してきた本発明構成によれば操作者に対して音声終了を通知するのはシングルトーンだけであった（図５参照）。従って、ここでは操作者に対する通知機能を強化し、操作者の認識度を向上させるために表示や通知音生成機能を設ける。そのため、本例では上記シングルトーンを再生出力する終了音生成部１１及び／又は音声受信中表示部１０が新たに設けられる。
【００４０】
なお、終了音生成部１１には移動通信機内に元から備えられている音響出力機能を利用してもよく、又は受信したシングルトーンに代えて異なる音色の音を自身が生成し出力するように構成してもよい。また、音声受信中表示部１０は所定のメッセージを移動通信機上のＬＣＤ表示器等に出力してもよく、又は別途設けられたＬＥＤ等を点滅等させるように構成してもよい。例えば、音声受信中表示部１０は音声受信中フラグＶｒｘの値が“１”のときにＬＣＤ表示器上に「音声受信中」を表示させる。
【００４１】
図１１は、本発明の第７の制御フロー例を示したものである。
本例は図９に示した制御フロー例の一変形例に相当し、ステップＳ６０１以降に本例の処理を追加したものである。すなわち、デジタル変調器へ強制同期解除信号を送った後に（Ｓ７０１）、終了音生成部１１へ終了音生成信号を送出し、次に音声受信中表示部１０へそのオフを指示する（Ｓ７０２及び７０３）。このような制御は、例えば前述した音声受信中フラグＶｒｘの値や音声受信中の表示制御を目的としたフラグ等に基づいて行われる。その結果、操作者による音声通信中か否かの認識度が向上し、しいては通信システムの運用効率が向上することになる。
【００４２】
図１２は、本発明の第８の制御フロー例を示したものである。
先に説明した図８及び１１の各制御フローをそのまま適用すると、受信電界が激しく変動するような場合に、誤り検出が一定回数連続して検出されることが頻繁に発生する。この場合、その度々音声終了音が鳴るようでは却って操作者に不快感を与えることになる。図９の処理を改善するため、本例では図８の制御フローに異常終了時だけに適用される音声通信異常終了処理ルーチン（Ｓ８１５）を付加している。本例におけるそれ以外の各ステップＳ８０１〜８１４は全て図８のステップＳ５０１〜５１４と同じである。
【００４３】
図１３は、本発明の第９の制御フロー例を示したものである。
本例は、図１２の音声通信異常終了処理（Ｓ８１５）の一例を示しており、ここでは、エラーカウンタ（Ｅｒｒｎ）が所定値以上になるとデジタル変調器へ強制同期解除信号を送ると共に（Ｓ９０１）、ここでは音声受信中の表示制御を目的としたフラグに表示オフを設定する（Ｓ９０２）。このように、図１１の音声通信終了処理では終了音声生成信号が送出されるが（Ｓ７０２）、本例の音声通信異常終了処理ではそれに相当する処理が無いため、連続して誤りフレームを検出するなどの異常終了時には終了通知音が出力されない。従って、頻発する終了通知音によって操作者が煩わしさを感じることがなくなる。
【００４４】
図１４及び１５は、本発明の第１０及び１１の制御フロー例を示したものである。
これらは、図１１と図１３の折衷案に相当し、音声通信異常終了時に終了通知音は出力するが、その通知の時間間隔をタイマによって制御することで終了通知音の発生頻度を制御するものである。図１４では、音声通信異常終了検出からタイマ起動までの制御フロー例を示しており、処理内容としては図１１の処理後にタイマＴ１を起動することになる（Ｓ１００１〜１００４）。従って、最初に音声通信異常終了を検出した時点で一時終了通知音が出力される。
【００４５】
図１５は、タイマＴ１起動後の制御フロー例を示したものであり、タイマＴ１起動後その設定時間内に再び発生する音声通信異常終了に対しては終了通知音が出力されず（Ｓ１１０２及び１１０３）、その再び発生した音声通信異常終了の検出によってタイマＴ１が再起動される（Ｓ１１０５）。このように、音声の通信は通常数秒以上の長さがあることを利用して、異常終了時には前回の音声通信終了からの経過時間が一定時間異常経過した場合のみ通知するように構成する。その結果、異常終了時に頻繁に終了通知音を発することなく、正確に操作者に音声通信の終了を通知できる。
【００４６】
【発明の効果】
以上述べたように、本発明によれば受信条件が悪化した場合でも音声終了の認識度を向上させた移動通信機が提供され、これによって移動通信機を使ったシステムの伝送効率が向上する。さらに、デジタル変調を用いた移動体通信において操作者の音声送信終了の認識度を向上させることで、移動体通信システム全体の運用効率も向上させることができる。
【図面の簡単な説明】
【図１】移動体通信システムにおける信号形式の一例を示した図である。
【図２】移動通信機の一構成例を示した図である。
【図３】本発明によるスーパーフレームの一構成例を示した図である。
【図４】本発明の第１の制御フロー例を示した図である。
【図５】本発明の第２の制御フロー例を示した図である。
【図６】本発明の第３の制御フロー例を示した図である。
【図７】本発明の第４の制御フロー例を示した図である。
【図８】本発明の第５の制御フロー例を示した図である。
【図９】本発明の第６の制御フロー例を示した図である。
【図１０】本発明の移動通信機の一構成例を示した図である。
【図１１】本発明の第７の制御フロー例を示した図である。
【図１２】本発明の第８の制御フロー例を示した図である。
【図１３】本発明の第９の制御フロー例を示した図である。
【図１４】本発明の第１０の制御フロー例を示した図である。
【図１５】本発明の第１１の制御フロー例を示した図である。
【符号の説明】
１…マイク
２…スピーカ
３…音声符号器
４…音声復号器
５…制御部
６…送話スイッチ
７…デジタル変復調器
８…送受信部
９…アンテナ
１０…音声受信中表示部
１１…終了音声生成部
【図１】
0003611515.tif 000002
【図２】
0003611515.tif 000003
【図３】
0003611515.tif 000004
【図４】
0003611515.tif 000005
【図５】
0003611515.tif 000006
【図６】
0003611515.tif 000007
【図７】
0003611515.tif 000008
【図８】
0003611515.tif 000009
【図９】
0003611515.tif 000010
【図１０】
0003611515.tif 000011
【図１１】
0003611515.tif 000012
【図１２】
0003611515.tif 000013
【図１３】
0003611515.tif 000014
【図１４】
0003611515.tif 000015
【図１５】
0003611515.tif 000016